(57)【要約】【課題】い草苗の育苗では、夏期の高温期に育苗プールの水温が上昇し、い草苗の成育が阻害されたり、い草苗が枯れるという不具合が発生していた。そこで、この発明は、夏期の高温時にも水温の上昇を防止しながらい草苗を良好に育苗することを課題とする。【解決手段】上方を開放した育苗箱（１１）の無数の通水口（１１ａ，…）を備えた底面に培土（１３）を詰めてい草苗（１，…）を挿苗する。次いで、この育苗箱（１１）を育苗プールの底面に載置し、流水の水面の高さを育苗箱（１１）の上端面よりも高く挿苗したい草苗（１，…）の中途部までに設定し、この流水の表面に藻や浮草（１４）を繁殖させるながい草苗を育苗する。【選択図】図２
2009148217.tif 000002
【特許請求の範囲】
【請求項１】
上方を開放した育苗箱（１１）の無数の通水口（１１ａ，…）を備えた底面に培土（１３）を詰めてい草苗（１，…）を挿苗し、育苗プール（２）の水の流れている底面に前記育苗箱（１１）を載置し、前記育苗プール（２）内の水面の高さを前記育苗箱（１１）の上端面よりも高く前記挿苗したい草苗（１，…）の背丈の中途部までに設定し、この流水の表面に藻や浮草（１４）を繁殖させながらい草苗を育苗することを特徴とするい草苗の育苗方法。
【発明の詳細な説明】
【技術分野】
【０００１】
この発明は、いぐさ苗の育苗方法に関する。
【背景技術】
【０００２】
いぐさ苗の育苗方法において、発砲材からなるマット状の育苗材を育苗箱の底面に敷いて苗を挿苗し、苗の根元部に培土を詰め、育苗プールの流水に育苗箱の下部を浸漬しながら育苗するものは公知である。
【特許文献１】特開２００４−２６１０６５号公報
【発明の開示】
【発明が解決しようとする課題】
【０００３】
前記い草苗の育苗方法では、夏期の高温期に育苗プールの水温が上昇し、い草苗の成育が阻害されたり、い草苗が枯れるという不具合が発生していた。そこで、この発明は、夏期でも育苗プール内の流水の温度を下げ、このような不具合を解消しようとするものである。
【課題を解決するための手段】
【０００４】
請求項１の発明は、このような不具合を解決するために、次ぎのような技術的手段を講じた。
上方を開放した育苗箱（１１）の無数の通水口（１１ａ，…）を備えた底面に培土（１３）を詰めてい草苗（１，…）を挿苗し、育苗プール（２）の水の流れている底面に前記育苗箱（１１）を載置し、前記育苗プール（２）内の水面の高さを前記育苗箱（１１）の上端面よりも高く前記挿苗したい草苗（１，…）の背丈の中途部までに設定し、この流水の表面に藻や浮草（１４）を繁殖させながらい草苗を育苗することを特徴とするい草苗の育苗方法とする。
【０００５】
前記構成によると、育苗箱（１１）の培土（１３）に挿苗されているい草苗（１，…）は、育苗プール（２）の水の流れている底面に載置され、い草苗（１，…）の背丈の中途部まで浸かった状態となり、流れる水により育苗箱（１１）底面の無数の通水口（１１ａ，…）に水が流れ、い草苗（１，…）の根部に新鮮な水が供給され育苗される。また、流水の表面には藻や浮草（１４）が繁殖しているので、夏期でも水温の上昇を防止できる。
【発明の効果】
【０００６】
請求項１の発明は、育苗箱（１１）の底面の無数の通水口（１１ａ，…）には新鮮な水が流れてい草苗（１，…）の根部へ酸素が十分に供給され、また、水の表面には藻や浮草（１４）が繁殖しているので、夏期でも水温の上昇を防止しながらい草苗（１，…）を育苗し、苗枯れを防止することができる。
【発明を実施するための最良の形態】
【０００７】
以下この発明の一実施形態を図面に基づき説明する。
い草苗１の育苗用の育苗プール２は、例えば、図１のように構成されている。育苗プール２には、底部に排水口３、上部に給水口４を備え、電磁式の排水バルブ５、給水バルブ６により育苗プール２に給排水する構成である。また、育苗プール２の液面の高さを検出するフロート式の液面センサ７を設け、制御部８により液面センサ７の検出値が所定の設定値となるように、排水バルブ５及び給水バルブ６を自動的に作動させ、育苗プール２内の液面の高さを設定高さに維持するようにしている。
【０００８】
また、図２に示すように、上方を開放した育苗箱１１の底面には無数の通水口１１ａ，…を設け、この底面に培土１３を詰めて膨軟化し、い草苗１を挿苗し、流水のある育苗プール２の底面に育苗箱１１を載置する。なお、例えば、発泡材の培地となる生分解性の発砲ウレタンで構成されたマット状の育苗材（図示省略）を、育苗箱１１の底面に敷き詰めてい草苗を挿苗し、その上に培土を詰めてもよい。
【０００９】
そして、育苗プール２内の液面の設定高さを育苗箱１１の上端面よりも高く、且つ、い草苗１の背丈の中途部まで灌水できる程度に設定し、流水の表面に藻や浮草１４を繁殖させる。
【００１０】
前記構成によると、育苗プール２内では水が流れているので、育苗箱１１底面の無数の通水口１１ａ，…にも水が流通し、い草苗の根部に酸素を十分に供給し、良質のい草苗を成育することができる。また、夏期の高温時にも藻や浮草１４により水温の温度上昇を防止しながら育苗し、い草苗の高温期の安定成育を図って苗枯れを防止し、また、植付作業時の新芽の損傷の防止をすることができる。
【００１１】
次に、図３に基づき育苗箱のい草苗栽培用培土を膨軟に方法について説明する。
まず、図３（Ａ）に示すように、育苗箱１１に培土１３を詰め、床土表面を均平にする。次いで、図３（Ｂ）に示すように、育苗プール２の水面に育苗箱１１を浮かべる。すると、育苗箱１１の底面の無数の通水口１１ａ，…から培土１３が吸水しゆっくり沈み、図３（Ｃ）に示すように、育苗箱１１が育苗プール２の底面まで沈む。次いで、育苗箱１１を静に持ち上げて取り出し、吸水した培土１３の表面から水がなくなってから、い草苗を育苗箱１１の底板に達するまで株挿し、覆土は行なわない。
【００１２】
培土１３を詰めた育苗箱１１を育苗プール２にいきなり水の中に浸けると、培土１３内の気泡が一気に吹き出し、培土１３の表面に凹凸が生じたり、また、沈めるために重りを必要とし、手間がかかるという不具合があった。
【００１３】
しかし、前記構成によると、育苗箱１１に培土１３を詰め、育苗プール２の水面に浮かべておくだけで省力化しながら培土１３を膨軟にすることができる。また、育苗箱１１の無数の通水口１１ａ，…から培土１３に徐々に吸水されて沈むので、培土１３の表面を均平にしながら膨軟にすることができ、また、沈んでいる育苗箱１１は吸水完了と容易に判定することができる。また、培土１３には十分吸水しているので、挿苗姿勢が安定し挿苗後の灌水を省略することができる。
【００１４】
また、前記の方法でい草苗を挿苗した育苗箱１１を半日程度日陰で保管し、株元が安定した後に育苗プール２に載置育苗すると、培土１３の表面部がやや固くなり、い草苗の株元が安定し、運搬時の姿勢の乱れを防止し、直立姿勢のい草苗を圃場に植え付けることができる。
【００１５】
次ぎに、い草苗用培土の一実施形態について説明する。
埴土又は埴壌土（粘土分３０％以上）を乾燥し砕土した後に、粒径２ミリ以下にし、粉と粒の混合状態に揃える。ココユーキ（ヤシ殻）を粒径３ミリ以下に篩選別する。そして、「埴土、埴壌土」対「ココユーキ」を「７０〜３０」対「３０〜７０」の容積比で混合する。そして、肥料、水分を例えば、ＰＨ：５．０〜７．０、ＥＣ：０．１〜０．５ｍＳ／Ｗ、仮比重：０．４〜０．８、水分：１５〜３０％、肥料のＮ−Ｐ−Ｋ比率を５０〜２００−１００〜１５００−５０〜２００ｍｇ／ｌに調整し、袋詰めする。
【００１６】
次に、図４に基づきい草苗栽培用のビニール製素材について説明する。
前後方向及び左右方向に広がっているビニール素材１６に、左右方向に狭い前後方向に長い厚み部１６ａ，…と、左右方向に広い例えば育苗箱２個の載置できる幅の前後方向に長い育苗箱載置部１６ｂ，…を、交互に構成する。この厚み部１６ａ，…は、薄い育苗箱載置部１６ｂ，…部分を２重あるいは３重に重ねて厚く丈夫に構成し、この厚み部１６ａ，…を色付きあるいは色線で育苗箱載置部１６ｂ、…と区別できるようにしている。
【００１７】
しかして、この育苗箱載置部１６ｂ、…にい草苗を挿苗した育苗箱１１，…を並べて載置し、この左右一対の厚み部１６ａ，…上を作業者や葉部切り取り機（図示省略）の左右車輪が走行しながら、い草苗の葉部の先端を切除し、苗高さ揃え作業をする。
【００１８】
前記構成によると、ビニール素材１６の厚み部１６ａ，…と育苗箱載置部１６ｂ、…とが容易に区別できて、育苗箱１１，…の載置作業や、葉部切り取り機の走行を容易にすることができる。また、育苗箱載置部１６ｂを２重あるいは３重にして厚み部１６ａを構成することができ、加工が容易で耐久性を高めることができる。
【００１９】
また、図５に示すように、育苗箱載置部１６ｂの左右幅に対して葉部切り取り機の刈刃装置１７の左右幅を少し長く構成するとよい。なお、１７ａ，１７ａは葉部切り取り機の左右車輪である。
【００２０】
従来技術は特開２００２−２４７９０６号公報に示すように、葉部切り取り機の刈刃装置の左右幅を育苗箱載置部１６ｂの左右幅の略半分程度に短く構成していた。従って、育苗箱載置部１６ｂに載置したすべての育苗箱１１，…の葉部を切断するためには、葉部切り取り機が往復走行しなければならず、作業能率が上がらなかった。
【００２１】
しかし、前記構成によると、一度の葉部切り取り機の走行で育苗箱載置部１６ｂのい草苗の全幅の葉部を切断でき、作業能率を向上させることができる。
次に、図６に基づきい草苗育苗用の格子板２１について説明する。
【００２２】
育苗箱１１に培土１３を詰め、育苗プール２に浸けて培土１３を膨軟にし、その後に格子板２１を育苗箱１１の培土上面から底板まで押し込み、い草苗の植え付け単位毎に切れ目を入れ、い草苗の植え付け精度の向上を図ろうとするものである。
【００２３】
格子板２１は、前後方向仕切板２１ａ，…と左右方向仕切板２１ｂ，…を所定間隔毎に組み合わせて苗ブロックの仕切り部を構成し、左右の取っ手２１ｃ，２１ｄを設けている。
【００２４】
しかして、育苗箱１１に培土１３を詰め、育苗プール２に浸けて培土１３を膨軟にする。そして、半日程度陰干して、培土１３の上部を乾燥させ、格子板２１の左右取っ手２１ｃ，２１ｄを持って、前後方向仕切板２１ａ，…と左右方向仕切板２１ｂ，…を育苗箱１１の床土上面から底板まで押し込み、植え付け単位毎に切れ目を入れい草苗を挿苗する。
【００２５】
育苗箱１１のい草苗の掻き取り植付時には、目標の大きさのブロックに分離されにくく、取り過ぎや、取り損ないが生じ、欠株の原因となっていた。
前記構成によると、育苗箱１１のい草苗の植え付け単位毎に切れ目を入れているので、掻き取り植付時に培土１３の切れ目からの分離が容易たなり、欠株を防止しながら正確に植え付けることができる。
【００２６】
次に、図７及び図８に基づきい草苗移植機について説明する。
い草苗移植機の車体３１には、ステアリングハンドル３２で操向する左右前輪３３，３３と左右後輪３４，３４を有し、運転席３５を搭載したシートカバー３６の下方に配設したエンジン３７によって駆動して走行する乗用四輪走行形態に構成している。車体３１の後部に平行リンク機構３８を介して苗植付装置３９を連結し、リフトシリンダ４０の伸縮によって昇降可能に構成している。
【００２７】
苗植付装置３９は、平行リンク機構３８の後側端部に連結したリンクヒッチ４１に対してローリング軸４２回りにローリング自在に連結している苗植付フレーム４３の下部に、左右方向中央部のセンターフロート４４ｃと、その左右両側のサイドフロート４４ｆ，４４ｒを配置し、土壌面を滑走支持するように構成している。
【００２８】
苗植付フレーム４３の上方には、マット状に育苗した苗を収容して後側下方へ繰り出す多条植付形態の苗載せ台４５を左右方向に往復移動自在に設け、後側端部には、側面視楕円形状の植付軌跡線を描いて苗植付作動をする植付爪４６，…を設けて、それぞれ対応した苗載せ台４５から繰り出された苗を掻き取り分離して土壌面に植え付ける多条植付形態に構成している。この苗載せ台４５の後側下部には、左右方向に沿う苗載せ台ガイドとしての側断面略Ｌ字型の前板４７を設け、各苗載せ台４５，…の下端苗送り出し口部を摺動案内し、各苗載せ台４５，…毎に各苗植付爪４６，…を作用させる苗取出口４８，…を形成している。
【００２９】
また、図９に示すように、苗載せ台４５の仕切り部４５ａには、マット苗の縦方向（前後方向）長さの読み取れる目盛５１を設けている。い草マット苗を苗載せ台４５に装填した際に、この目盛５１によりマット苗の前側端部が前記前板４７に当接支持された状態で後方に伸びる長さを測定でき、基準縦長さに対する縮み量を判定できる。また、この目盛５１の側方には縮み量に対応する苗取り量調節用目盛５１ａを設けている。
【００３０】
また、苗載せ台４５の一側の仕切り部４５ａには、苗取り量調節レバー５３を軸支して設け、この苗取り量調節レバー５３のレバーガイド５４には、苗の縦取り調節量を示す目盛５４ａと、係止部５４ｂを設けている。
【００３１】
また、苗載せ台４５の各苗載せ板４５ｃ，…下方には、マット苗を縦送りする苗縦送りベルトを設け、苗載せ台４５が横移動終端側部に移動すると、マット苗を所定量ずつ縦送りする周知の間歇縦送り装置を設けている。そして、前記苗取り量調節レバー５３に一端を連結している調節ワイヤの他端を間歇縦送り装置の駆動アームに連係し、苗縦送りベルトの縦送り量を大小に調節可能に構成している。
【００３２】
従来のい草苗移植機はい草マット苗から掻き取り移植する際に、設定した縦掻き取り量に対し、苗載せ台４５に装填した時にマット苗が縮んでいることがあり、その縮み量がまちまちであるので、縦方向に隣接した二つの苗ブロックを同時に掻き取り移植することがあり、欠株の原因となっていた。
【００３３】
しかし、前記構成によると、苗載せ台４５にい草マット苗を装填した際に、目盛５１及び苗取り量調節用目盛５１ａからマット苗の縮み量、及び、それに対応した縦方向調節取り量が読み取れるので、縦方向掻き取り量の設定時に計算しなくても、苗取り量調節レバー５３を対応する目盛５４ａに操作することにより、適確な縦取り量の調節位置に移動調節してい草マット苗を所定数に分割して植え付け、欠株なしに移植することができる。
【００３４】
次に、図１０乃至図１３に基づき移植機の線引きマーカ６７の駆動構成について説明する。
苗植付フレーム４３は、苗載せ台４５の上部を左右移動自在に案内するローラ４３ｒ，…を介して支持する上下に長い３本の左上下フレーム４３ａ，右上下フレーム４３ｂ，中央上下フレーム４３ｃと（なお、移植機の前側を向いた状態で左右としている）、この３本の上下フレーム４３ａ，４３ｂ，４３ｃの上部を連結する上横フレーム４３ｄと、左上下フレーム４３ａの下部を支持する下左横フレーム４３ｅと、右上下フレーム４３ｂの下部を支持する下右横フレーム４３ｆと、中央上下フレーム４３ｃの下部を支持する下中央横フレーム４３ｇにより構成している。前記下左横フレーム４３ｅには、跡付け車輪６７Ｌａ付きの左線引きマーカ６７Ｌを起伏自在に支持し、下右横フレーム４３ｆには跡付け車輪６７Ｒａ付きのは右線引きマーカ６７Ｒを起伏自在に支持している。
【００３５】
また、下中央横フレーム４３ｇには、前記中央上下フレーム４３ｃの前方に位置するように植付深さ調節レバー６６の下部を左右方向の軸で支持し、苗植付フレーム４３に支持されている苗載せ台４５には、右上下フレーム４３ｂの中央寄りに前記苗取り量調節レバー５３を設けている。
【００３６】
そして、苗植付フレーム４３と前方の植付深さ調節レバー６６との間には、上側ほど順次広くなる空間部４３ｉが形成されている。しかして、この上部の広い空間部４３ｉを利用して線引きマーカ駆動部８２を配置し、上横フレーム４３ｄに吊り下げ状に支持している。
【００３７】
なお、左右上下フレーム４３ａ，４３ｂ，中央上下フレーム４３ｃの下端には、植付爪４６，…を備えた植付伝動ケース４９が連結されている。
次に、図１２及び図１３に基づき線引きマーカ６８の作動構成について説明する。
【００３８】
線引きマーカ６７の駆動装置８２には、支持プレート８３に支持されたモータ８５と、該モータ８５の回転軸部に設けられたギヤ８５ａに噛合するギヤ８６ａを周辺部に備えた円板８６が設けられている。この円板８６の回転軸８６ｂは円板８９を貫通して支持プレート８３の反対側の表面側に設けたカム８４の回転軸を兼ねている。
【００３９】
円板８９は、支持プレート８３の円板８６と同じ側に設けたカム８４の位置検出用のスイッチ８７ａ，８７ｂを作動するために長径の半円板と短径の半円板の弦同士をつなぎ合わせた形状のものである。
【００４０】
カム８４の位置検出用のスイッチ８７ａ、８７ｂは円板８９の９０度位相がずれた位置に配置され、円板８９の長径側の半円板が接触するとスイッチがオンになるが、円板８９の短径側の半円板が前記スイッチ８７ａ，８７ｂの前側を通過するときは、該スイッチ８７ａ、８７ｂはオフになるので、線引きマーカ６７の左出し、両出し、右出し、非作用の四状態の制御ができる。
【００４１】
カム８４は左右一対の線引きマーカ６７Ｒ，６７Ｌを駆動させるための一対のＬ字状アーム８０Ｒ、８０Ｌの基部側の端部に設けられた回転自在のコロ９０Ｒ、９０Ｌとそれらの側面同士が当接するように配置され、また、一対のＬ字状アーム８０Ｒ、８０Ｌは支持プレート８３に設けられた回転軸８０Ｒａ、８０Ｌａを中心に回動自在に支持されている。一対のＬ字状アーム８０Ｒ、８０Ｌの先端部には左右の線引きマーカ駆動用のワイヤ８１Ｒ、８１Ｌが接続しており、一対のＬ字状アーム８０Ｒ、８０Ｌは支持プレート８３に端部を支持されたバネ９２Ｒ、９２Ｌで常時先端部が互いに接近する側に付勢されている。前記一対のＬ字状アーム８０Ｒ、８０Ｌの先端部が互いに接近する側に付勢されている位置にあると、線引きマーカ６７は起立状態にあり、圃場には線引きはなされない。
【００４２】
一対のＬ字状アーム８０Ｒ又は８０Ｌがモータ８５の回動により、カム８４の大径部にコロ９０Ｒ又は９０Ｌが接触すると、一対のＬ字状アーム８０Ｒ又は８０Ｌの動きでワイヤ８１Ｒ、８１Ｌが緩められ、線引きマーカ６７Ｒ又は６７Ｌが圃場の線引き位置に転倒して、線引きを行なう。また、モータ８５の回動により、カム８４の小径部にコロ９０Ｒ又は９０Ｌが接触すると、一対のＬ字状アーム８０Ｒ又は８０Ｌの動きでワイヤ８１Ｒ、８１Ｌが引っ張られ、線引きマーカ６７Ｒ又は６７Ｌが起立する。
【００４３】
前記線引きマーカ駆動装置８２は、モータ８５の回転でギヤ付き円板８６が回転し、この円板８６と一体的に回転するカム８４の働きと共に当初は互いに接近している位置（線引きマーカ起立位置）にある一対のＬ字状アーム８０Ｒ、８０Ｌが揺動して、ワイヤ８１Ｒ、８１Ｌを駆動させる。モータ８５の回転が例えば図１４で右回転だとすると、左線引きマーカ６７Ｌ用のＬ字状アーム８０Ｌが揺動して左線引きマーカ６７Ｌを転倒させる。このときカム８４の形状に基づき右線引きマーカ６７Ｒ用のＬ字状アーム８０Ｒは初期位置を維持する。
【００４４】
モータ８５の回転が前記説明と逆転方向になると、右線引きマーカ６７Ｒ用のＬ字状アーム８０Ｒが左側（点線側）に揺動して右線引きマーカ６７Ｒが転倒して、左線引きマーカ６７Ｌは起立（収納）状態となる。
【００４５】
苗植付フレーム４３の左右中央下部には平行リンク機構３８の後側端部が位置しているので、線引きマーカ６７の駆動装置８２を苗植付フレーム４３の左右中央下部に配設することはできない。また、苗植付フレーム４３の前方右側には苗取り量調節レバー５３があり、左側には植付深さ調節レバー６６があるので、ここにも設置できない。
【００４６】
しかし、前記構成のように、苗植付フレーム４３と前方の植付深さ調節レバー６６との間に形成される上側ほど順次広くなる空間部４３ｉを利用し、上横フレーム４３ｄに線引きマーカ駆動部８２を吊り下げ状に支持することにより、コンパクトに配置することができる。
【００４７】
次に、図１０及び図１１に基づき苗植付装置３９のローリング制御について説明する。
平行リンク機構３８の後側端部にリンクヒッチ４１を取り付け、リンクヒッチ４１のローリング軸４２回りに苗植付フレーム４３をローリング自在に支持している。また、走行車体３１あるいは苗植付装置３９には左右傾斜検出用の水平センサ（図示省略）を設け、この水平センサの検出情報に基づき走行車体３１と苗植付装置３９との間に設けたローリング制御機構（図示省略）を作動させて、苗植付装置３９を所定の姿勢にローリング制御するように構成している。
【００４８】
ローリング制御機構の回動アーム９５には、左右引っ張りバネ９６，９６の一端を連結し、左右引っ張りバネ９６，９６の他端を苗植付装置３９側の左右上下フレーム４３ａ，４３ｂに連結している。しかして、回動アーム９５が左右に揺動すると、左右引っ張りバネ９６，９６を介して苗植付装置３９を走行車体３１に対してローリング作動するように構成している。
【００４９】
また、乗用型移植機では苗植付装置３９の苗載せ台４５が左右に往復移動しながら苗植付作業を行なう関係で、苗載せ台４５が中央に位置するときと左右に移動したときとでは、苗植付装置３９の重心が左右に大きく変動ので、ローリング制御が行われにくいという不都合が発生する。そこで、回動アーム９５に補正用左右引っ張りバネ９７，９７の一端を連結し、補正用左右引っ張りバネ９７，９７の他端を苗載せ台４５の上部背面の左右両側部に連結している。
【００５０】
しかして、苗載せ台４５が左右端部に移動しているときには苗載せ台４５の重みで、苗載せ台４５が移動側に下がり気味になろうとするが、補正用左右引っ張りバネ９７，９７が引き戻す側に作用し、苗載せ台４５の左右移動によるローリング制御の不安定さを解消している。
【００５１】
そして、苗載せ台４５の上部には前方に開口した凹部４５ｂを左右方向に長く構成し、この凹部４５ｂに前記補正用左右引っ張りバネ９７，９７を嵌合するように配設している。前記構成によると、左右引っ張りバネ９６，９６と補正用左右引っ張りバネ９７、９７とを上下にずらせて近接配置しても、補正用左右引っ張りバネ９７、９７を苗載せ台４５の凹部４６ｂ内に位置するように配置することにより、バネが緩んだときにもバネ相互の干渉を回避することができ、ローリング制御を円滑に行なうことができる。
【００５２】
次に、図１４に基づき水稲用種籾の温湯消毒装置について説明する。
温湯消毒装置は、温湯消毒部１０１と、水切り部１０２と、冷水部１０３により構成し、これらを横一列に配置し、水切り部１０２を前後の温湯消毒部１０１及び冷水部１０３よりも高い位置に設置している。
【００５３】
温湯消毒部１０１は、温湯消毒槽１０１ａと、通気孔の無数に設けられている種子載置板１０１ｂと、気泡発生装置１０１ｃと、ヒータ１０１ｄと、熱風循環装置１０１ｅにより構成されている。しかして、種籾の入った種子袋１０４を種子載置板１０１ｂに載せて種籾を温湯に浸し、温湯をヒータ１０１ｄにより温めて所定温度に維持しながら、気泡発生装置１０１ｃから気泡を上方の種籾に送り、種籾内に温湯を循環させながら所定時間かけて温湯消毒する。
【００５４】
また、水切り部１０２は、通水孔の無数にある水切り板１０２ａと、水切り板１０２ａを支持する枠体（図示省略）とで構成し、温湯消毒した種子袋１０４を水切り板１０２ａに載置し、種籾から温湯を落下させ水切りをする。
【００５５】
また、冷水部１０３は、冷水槽１０３ａと、通気孔の無数に設けられている種子載置板１０３ｂと、気泡発生装置１０３ｃとにより構成されている。しかして、温湯の流出した種籾の入った種子袋１０４を種子載置板１０３ｂに載せて冷水に浸し、気泡発生装置１０１ｃから気泡を上方の種籾に送り、種籾内に冷水を循環させながら所定時間かけて冷却する。
【００５６】
前記構成によると、温湯消毒部１０１で温められた種籾から水切り部１０２で温湯を流出分離してから冷水部１０３に供給するので、冷水部１０３での種籾の冷却時間を短縮することができる。
【００５７】
また、温湯消毒部１０１、水切り部１０２及び冷水部１０３を横一列に配置したので、温湯消毒施設のレイアウトが容易になる。また、水切り部１０２を前後の温湯消毒部１０１及び冷水部１０３よりも高い位置に設置したので、水切りが容易となり、これらを前後に接近して配置したり、また、水切り部１０２の下部に流下した温湯を受ける漏斗を設けることにより、これらを平面視でオーバーラップして配置することもでき、全長を短くすることができる。
【図面の簡単な説明】
【００５８】
【図１】育苗プールの切断側面図
【図２】育苗プールの切断側面図
【図３】育苗箱の側面図、育苗プールの切断側面図
【図４】ビニール素材、マット苗の斜視図
【図５】マット苗の正面図
【図６】格子板、育苗箱の斜視図
【図７】乗用型移植機の側面図
【図８】乗用型移植機の平面図
【図９】苗載せ台部分の平面図
【図１０】苗植付装置の一部省略した側面図
【図１１】苗植付装置の一部省略した正面図
【図１２】線引きマーカ駆動装置の正面図
【図１３】線引きマーカ駆動部の平面図
【図１４】温湯消毒装置の切断側面図
【符号の説明】
【００５９】
１      い草苗
２      育苗プール
１１      育苗箱
１１ａ    通水口
１３      培土
１４      藻、浮草
【図１】
2009148217.tif 000003
【図２】
2009148217.tif 000004
【図３】
2009148217.tif 000005
【図４】
2009148217.tif 000006
【図５】
2009148217.tif 000007
【図６】
2009148217.tif 000008
【図７】
2009148217.tif 000009
【図８】
2009148217.tif 000010
【図９】
2009148217.tif 000011
【図１０】
2009148217.tif 000012
【図１１】
2009148217.tif 000013
【図１２】
2009148217.tif 000014
【図１３】
2009148217.tif 000015
【図１４】
2009148217.tif 000016